(57)【要約】【課題】  サンゴの安定成長を促進させることが出来る浮体構造物と、これを用いたサンゴの養殖方法、及び浮桟橋などの浮体構造物の利用者が、サンゴやサンゴ礁および、そこに生息する海洋生物などを観賞することができるようにする。【解決手段】  浮体に構成されて係留装置により岸壁に近接して係留され連絡橋を介して岸壁との間を連絡して構成されて、船舶が接舷可能なデッキを備えた浮桟橋などの浮体構造物である。この浮体構造物は海水と接する壁の一部がコンクリートで構成され、そのコンクリートの壁に複数のサンゴ移植用孔を所定間隔に開口させ、その孔にサンゴを取り付けるなどによって構成したサンゴ養殖棚を設けてある。本発明による浮体構造物においては、サンゴ養殖棚にサンゴが養殖されて浮体構造物の周囲に豊かな海洋生態系が形成され、浮体構造物利用者は、サンゴやサンゴ礁及び、そこに生息する海洋生物などを観賞できる。【選択図】            図１
2005245374.tif 000002
【特許請求の範囲】
【請求項１】
海水と接する壁の少なくとも一部にサンゴ養殖部を設けた浮体構造物であって、前記サンゴ養殖部に配置されるサンゴに加わる衝撃を緩和する緩衝手段を備えていることを特徴とするサンゴ養殖部を備えた浮体構造物。
【請求項２】
係留装置をさらに備え、前記緩衝手段は、前記係留装置に組み込まれたダンパ手段であることを特徴とする請求項１に記載のサンゴ養殖部を備えた浮体構造物。
【請求項３】
前記緩衝手段は、前記サンゴ養殖部を略包囲する多孔板であることを特徴とする請求項１に記載のサンゴ養殖部を備えた浮体構造物。
【請求項４】
浮体構造物であって、同浮体構造物は海水と接する壁の少なくとも一部にサンゴ養殖部を設けてあるとともに、同サンゴ養殖部への障害物侵入防止手段を設けてあることを特徴とするサンゴ養殖部を備えた浮体構造物。
【請求項５】
前記浮体構造物のデッキ面の一部に階段を設け、その最下段から海中へ貫通する孔を形成し、その孔の周壁を、前記サンゴ養殖部を設けた前記壁としたことを特徴とする請求項１〜４のいずれか１つに記載のサンゴ養殖部を備えた浮体構造物。
【請求項６】
前記浮体構造物のデッキを海中まで貫通する中空孔を形成し、その周壁を、前記サンゴ養殖部を設けた前記壁としたことを特徴とする請求項１〜４のいずれか１つに記載のサンゴ養殖部を備えた浮体構造物。
【請求項７】
前記浮体構造物のデッキ面に、係留装置に向かって緩く傾斜面を形成して、その先端の側壁を、前記サンゴ養殖部を設けた前記壁としたことを特徴とする請求項１〜４のいずれか１つに記載のサンゴ養殖部を備えた浮体構造物。
【請求項８】
前記孔の床面側の端部に、海中展望用水中窓を取り付けたことを特徴とする請求項５または６に記載のサンゴ養殖部を備えた浮体構造物。
【請求項９】
前記傾斜面の先端と前記係留装置の架台との間に、海中展望用水中窓を取り付けたことを特徴とする請求項７に記載のサンゴ養殖部を備えた浮体構造物。
【請求項１０】
前記サンゴ養殖部を設ける前記壁をコンクリートで構成したことを特徴とする請求項１〜９のいずれか１つに記載のサンゴ養殖部を備えた浮体構造物。
【請求項１１】
前記サンゴ養殖部に対する光照射制御手段を備えたことを特徴とする請求項１〜１０のいずれか１つに記載のサンゴ養殖部を備えた浮体構造物。
【請求項１２】
請求項１〜１１の少なくとも２つを組み合わせた構成を有することを特徴とするサンゴ養殖部を備えた浮体構造物。
【請求項１３】
前記浮体構造物が、岸壁に近接して係留され連絡橋を介して岸壁との間を連絡して構成されるとともに、船舶が接舷可能なデッキを備えた浮桟橋であることを特徴とする請求項１〜１２のいずれか１つに記載のサンゴ養殖部を備えた浮桟橋。
【請求項１４】
請求項１〜１２のいずれか１つに記載された浮体構造物を利用するサンゴ養殖方法。
【請求項１５】
請求項１〜１２のいずれか１つに記載された浮体構造物を利用するサンゴ養殖方法であって、サンゴの親株から骨格を含み切断され、その切断面に定置手段として支持体を固着した子株を前記浮体構造物に設けられたサンゴ養殖部に移設し、深層部よりの海水を供給し、サンゴの種類に応じて、サンゴ養殖部の海水温度を高温ストレスによる褐虫藻の損傷を引き起こす所定の温度以下に保持することを特徴とするサンゴ養殖方法。
【請求項１６】
請求項１３に記載された浮桟橋を利用するサンゴ養殖方法。
【請求項１７】
請求項１６に記載された浮桟橋を利用するサンゴ養殖方法であって、サンゴの親株から骨格を含み切断され、その切断面に定置手段として支持体を固着した子株を前記浮桟橋に設けられたサンゴ養殖部に移設し、深層部よりの海水を供給し、サンゴの種類に応じて、サンゴ養殖部の海水温度を高温ストレスによる褐虫藻の損傷を引き起こす所定の温度以下に保持することを特徴とするサンゴ養殖方法。
【発明の詳細な説明】
【技術分野】
【０００１】
本発明は、海水と接する壁の少なくとも一部にサンゴ養殖部を備えた浮桟橋などの浮体構造物及びこれを用いたサンゴの養殖方法に関する。
【背景技術】
【０００２】
サンゴ礁は魚類や海洋植物など多くの海洋生物に対して豊かな栄養と棲み家を提供し、海洋生態系の保持向上のために欠かせないものであるが、近年、地球環境悪化の影響を受けてサンゴ礁を取り巻く環境も悪くなり、その破壊が進んでいる。そこで、この破壊を食い止めて豊かなサンゴ礁の復活を図るため、種々のサンゴ養殖方法が提案されている。
【０００３】
図２０（ａ）〜（ｄ）はその一例（特許文献１）を示したもので、親サンゴＳを分割した子サンゴｓを支持棒４０に取付け、ケーシング４１内の保持材４２に複数個を配列した後、ケーシング４１ごと移植海域に設置して飼育し、図２０（ｄ）におけるｓ１のように子サンゴｓが支持棒４０を覆う程度に生育したあと、これを移植海域の岩盤に固着して養殖する方法である。
【０００４】
また図２１はサンゴ養殖装置の例（特許文献２）を示したもので、サンゴ養殖装置５５は、複数の柱状浮体５１を枠５２で連結し、この枠５２上に子サンゴｓを付着させたサンゴ養生棚５３を配置した構成で、柱状浮体５１を海中に沈降させ、サンゴ養生棚５３を所定水深まで沈めてサンゴを養殖するようになっている。
【０００５】
一方、浮体構造物の一つである浮桟橋１は図１９に示すように、係留装置（図示せず）により港湾の岸壁ｇに係留されて連絡橋２を介して連絡され、浮桟橋１に接舷された船舶５と岸壁ｇ間の乗客の往来に寄与しているが、船舶５の出港時間あるいは到着時間の都合で待ち時間があるとき、利用者は、屋根３で覆われたデッキ上を散策したり、海面を眺めたりして時を過ごすことになる。
【０００６】
このようなとき、周囲の海域にサンゴ礁があり、多くの海洋植物や魚類が生息していれば、利用者はこれらを観賞して楽しい時間を過ごすことができるが、近年は特にそのような海域は少なくなっており、また、従来の浮桟橋には、サンゴ礁や海洋生物、魚群などを養殖し観賞できる海中展望施設を備えた例はない。近くの海域に新たに専用の海中展望施設を設置するには多大の費用がかかるなどの問題があった。
【０００７】
一方、サンゴの成長には周りの環境の影響を強く受け、その安定した成長促進に対して次のように種々の阻害要因がある。
例えば、サンゴ、或いはサンゴが付着する基盤が浮ける衝撃、例えば、波による衝撃やごみなどの移動物体が当ることよる衝撃がサンゴの安定成長促進に障害となる。
また、異常な高低温の持続、紫外線照射量の増加、海水中の塩分量の低下、共生藻の喪失などが原因でサンゴにストレスを与えサンゴが白化を起し、その安定成長促進が阻害される。
【０００８】
また、光の存在がサンゴの成長促進に大きく影響を与えることも判っており、安定成長のためには、照射する光のスペクトル、強度、照射パターン、光源を最適のものに選定の必要がある。
更に、サンゴ養殖棚などの設置のやり方、配置などについてもサンゴの安定成長に適した状態にしてやることが必要である。
【０００９】
【特許文献１】特開２００３−００９７１３
【特許文献２】特開平１１−０３２６２０
【発明の開示】
【発明が解決しようとする課題】
【００１０】
本発明は、サンゴの安定成長を促進させることのできる浮体構造物及びこれを用いたサンゴの養殖方法を提供することを課題としている。さらに本発明は、浮桟橋などの浮体構造物の利用者が、サンゴやサンゴ礁及び、そこに生息する海洋生物などを浮体構造物から観賞することができるようにすることを課題としている。
【課題を解決するための手段】
【００１１】
前記課題を解決するため、本発明は、
（１）  海水と接する壁の少なくとも一部にサンゴ養殖部を設けた浮体構造物であって、前記サンゴ養殖部に配置されるサンゴに加わる衝撃を緩和する緩衝手段を備えてなるサンゴ養殖部を備えた浮体構造物を提供する。
（２）  本発明による前記（１）の浮体構造物は、係留装置をさらに備えるとともに、前記緩衝手段を、前記係留装置に組み込まれたダンパ手段とした構成とすることができる。
（３）  本発明による前記（１）の浮体構造物においては、前記緩衝手段を、前記サンゴ養殖部を略包囲する多孔板とした構成とすることができる。
（４）  また、前記課題を解決するため、本発明は、浮体構造物であって、同浮体構造物は海水と接する壁の少なくとも一部にサンゴ養殖部を設けてあるとともに、同サンゴ養殖部への障害物侵入防止手段を設けてなるサンゴ養殖部を備えた浮体構造物浮体構造物を提供する。
（５）  本発明による前記（１）〜（４）の浮体構造物において、前記浮体構造物のデッキ面の一部に階段を設け、その最下段から海中へ貫通する孔を形成し、その孔の周壁を、前記サンゴ養殖部を設けた前記壁とすることができる。
（６）  本発明による前記（１）〜（４）の浮体構造物において、前記浮体構造物のデッキを海中まで貫通する中空孔を形成し、その周壁を、前記サンゴ養殖部を設けた前記壁とすることができる。
（７）  本発明による前記（１）〜（４）の浮体構造物において、前記浮体構造物のデッキ面に、係留装置に向かって緩く傾斜面を形成して、その先端の側壁を、前記サンゴ養殖部を設けた前記壁とすることができる。
（８）  本発明による前記（５）または（６）の浮体構造物において、前記孔の床面側の端部に、海中展望用水中窓を取り付けた構成とすることができる。
（９）  本発明による前記（７）の浮体構造物において、前記傾斜面の先端と前記係留装置の架台との間に、海中展望用水中窓を取り付けた構成とすることができる。
（１０）  本発明による前記（１）〜（９）の浮体構造物において、前記サンゴ養殖部を設ける前記壁をコンクリートで構成することができる。
（１１）  本発明による前記（１）〜（１０）の浮体構造物において、
前記サンゴ養殖部に対する光照射制御手段を備えた構成とすることができる。
（１２）  本発明による前記（１）〜（１１）の少なくとも２つを組み合わせた構成を有する浮体構造物とすることができる。
（１３）  本発明による前記（１）〜（１２）の浮体構造物は、岸壁に近接して係留され連絡橋を介して岸壁との間を連絡して構成されるとともに、船舶が接舷可能なデッキを備えた浮桟橋とすることができる。
（１４）  本発明による前記（１）〜（１２）の浮体構造物を利用して、サンゴを養殖する方法を提供する。
（１５）  前記（１４）のサンゴを養殖する方法は、サンゴの親株から骨格を含み切断するステップと、その切断面に定置手段として支持体を固着した子株を前記浮体構造物に設けられたサンゴ養殖部に移設するステップと、深層部よりの海水をサンゴ養殖部へ供給するステップと、サンゴの種類に応じて、サンゴ養殖部の海水温度を高温ストレスによる褐虫藻の損傷を引き起こす所定の温度以下に保持するステップとを設けることができる。
（１６）  本発明による前記（１３）の浮桟橋を利用して、サンゴを養殖する方法を提供する。
（１７）  前記（１６）のサンゴを養殖する方法は、サンゴの親株から骨格を含み切断するステップと、その切断面に定置手段として支持体を固着した子株を前記浮桟橋に設けられたサンゴ養殖部に移設するステップと、深層部よりの海水をサンゴ養殖部へ供給するステップと、サンゴの種類に応じて、サンゴ養殖部の海水温度を高温ストレスによる褐虫藻の損傷を引き起こす所定の温度以下に保持するステップとを設けることができる。
【発明の効果】
【００１２】
本発明（１）による浮体構造物においては、サンゴの生育を阻害する原因となる衝撃がサンゴ養殖部のサンゴに伝わるのがダンパや多孔板などで構成された緩衝手段によって緩和されてサンゴの生育が促進され、浮体構造物の周囲に豊かな海洋生態系が形成され、本発明による浮体構造物からは、必要に応じて設けられた海中展望用水中窓などを通して、サンゴやサンゴ礁及び、そこに生息する海洋生物などを観賞できる。また、本発明（１）による浮体構造物は海上に浮遊しているため、天敵であるオニヒトデの被害からサンゴを守ることができる。
前記（２）に記載した本発明の浮体構造物によれば、ダンパ手段をもつ係留装置によって、船舶や漂流物などが浮体構造物に当ったときの衝撃や、台風時などの強い波浪による衝撃を緩衝し、サンゴの生育を阻害する原因となる衝撃がサンゴに伝わるのを防ぐことができる。
また、前記（３）に記載した本発明の浮体構造物においては、サンゴ養殖部を略包囲する多孔板によって、台風時などの強い波浪や浮遊物がサンゴに当たって、その衝撃でサンゴの生育が阻害されるのを防ぐことができる。
前記（４）に記載した本発明の浮体構造物によれば、金網や多孔板などで構成された、サンゴ養殖部への障害物侵入防止手段を設けてあるため、サンゴ養殖部で生育中のサンゴに対して微細な異物が触れて、それらの異物を排除しようとサンゴが大量の粘液を放出することでエネルギを消費してサンゴの生育が阻害されるのを防ぐことができる。
また、前記（５）に記載した本発明の浮体構造物によれば、この浮体構造物の利用者はデッキの面に設けられた階段を降りて水面近くからサンゴ養殖部に生育したサンゴ礁およびそこに生息する海洋生物などを鑑賞できる。
前記（６）に記載した本発明の浮体構造物によれば、デッキを貫通して設けられた中空孔の上方から、その中空孔の周囲に構成されたサンゴ養殖部に生育したサンゴ礁およびそこに生息する海洋生物などを鑑賞できる。
前記（７）に記載した本発明の浮体構造物によれば、この浮体構造物の利用者は、デッキの傾斜面と係留装置の間を歩行するときに、デッキ傾斜面先端の側壁に構成されたサンゴ養殖部に生育したサンゴ礁およびそこに生息する海洋生物などを鑑賞することができる。
前記（８）、（９）に記載した構成とした本発明の浮体構造物によれば、前記した（５）〜（７）の構成をもつものにおいて、それぞれ海中展望用水中窓を通して、サンゴ養殖部に生育したサンゴ礁に生息する海洋生物などを波浪の影響を受けることなく安全、かつ、明瞭に鑑賞して楽しむことができる。
前記（１０）に記載した本発明の浮体構造物によれば、コンクリートで構成された壁からなるサンゴ養殖部に、良好にサンゴを成育させてサンゴ礁を形成させることができる。
前記（１１）に記載した本発明の浮体構造物によれば、光照射制御手段によってサンゴ養殖部に対して、サンゴの成育を促進する光照射を行ってサンゴ養殖部に、良好にサンゴを成育させてサンゴ礁を形成させることができる。
前記（１２）に記載した本発明の浮体構造物によれば、前記した（１）〜（１１）に記載の構成を組み合わせた浮体構造物として、そのサンゴ養殖部に、良好にサンゴを成育させてサンゴ礁を形成させることができる。
前記（１３）に記載した本発明の浮体構造物によれば、側壁に形成されたサンゴ養殖部に生育したサンゴ礁およびそこに生息する海洋生物などを鑑賞できる浮桟橋が提供される。
前記（１４）〜（１７）に記載した本発明のサンゴ養殖方法によれば、サンゴ養殖部に付着させたサンゴの生育を阻害する原因となる衝撃が、ダンパや多孔板などで構成された緩衝手段によって緩衝されるので、サンゴ養殖部のサンゴに衝撃が伝わるのを防ぐことができ、サンゴの生育が促進される。また、前記サンゴ養殖方法によれば、サンゴを付着させるサンゴ養殖部を備えた浮体構造物や浮桟橋が海上に浮遊しているため、天敵であるオニヒトデの被害からサンゴを守ることが出来る。
ところで、サンゴ―褐虫藻共生体では、褐虫藻の方が高温に対する感受性が高く、高温による褐虫藻の光合成低下がサンゴ白化につながると考えられている。
なお、少なくとも高温下では宿主であるポリプが影響を受け、光合成機能や外部形態では正常な褐虫藻を排出してしまう現象がある。
高温と光は相乗的に作用して、変性褐虫藻を増加させたり、褐虫藻の光合成―光強度曲線を高温下で低強度側へ移行させたりすることが知られている。
海水の高温化は、サンゴ―褐虫藻共生体に悪影響を及ぼすことが明らかとなっており、この要因を排除することが、サンゴの安定的な育成にとって重要である。
浮体構造物あるいは浮桟橋に隣接する海の深層部より汲み上げられる新鮮な海水は、表層部の海水よりも養分に富むことに加え、水温が表層部よりも低いので、これをサンゴ養殖部に供給することにより養分の補給と同時に水温の調節が可能となる。
従って、前記（１５）及び（１７）に記載した本発明のサンゴ養殖方法によれば、このようにサンゴ養殖部に深層部よりの養分に富みかつ表層部より低い温度で比較的安定した温度の海水を供給することにより、サンゴ養殖部の海水温度をサンゴの高温感受性が高まる温度以下に保持しサンゴの白化を防止することが出来るので、より安定的なサンゴ育成がはかられる。
【発明を実施するための最良の形態】
【００１３】
以下、本発明による浮体構造物を図示した実施例に基づいて具体的に説明する。
図１は、以下の実施例において本発明が適用される浮桟橋本体の断面構造を示したものである。図１において、１ａは浮桟橋を構成する鋼殻本体（浮体）であり、その鋼殻本体１ａは、鋼板１ｂをリブ１ｆで補強して構成されており、その外面に複数のジベル１ｅ、鉄筋１ｄを配置したあとコンクリートを打設してコンクリート層１ｃを形成して浮体に構成されている。
【００１４】
コンクリートで構成された上記浮桟橋や防波堤などの沿岸構造物の表面には、サンゴや海草、貝類などがよく付着して繁殖することが知られている。特にサンゴは、水深が比較的浅く、太陽光がよく差込む海域が生育に適していることがわかっている。そこで本発明では、この条件に合った浮桟橋のコンクリート側壁等に、サンゴ養殖部を設けてサンゴを養殖する。
【００１５】
図２（ａ）〜（ｃ）は、本発明において浮桟橋に移植するサンゴの移植・養殖手順の例を示したもので、親サンゴＳから分割したサンゴを例えば図２０（ａ）〜（ｃ）に基づいて説明した方法で支持棒（アクリル製が好適）４０に取付けて生育させ、こうして育った子サンゴｓ（ａ図）を、海中の被移植体４３に開口した移植孔４３ｆに支持棒４０を介して移植（ｂ図）する。そして子サンゴｓを親サンゴＳへ生育（ｃ図）する。
【００１６】
以下の実施例では、図３（ａ）に示すように、浮桟橋１の側壁等に形成したコンクリート層１ｃに、移植孔４３ｆを所定間隔に開口してサンゴ養殖棚８を形成し、この移植孔４３ｆに支持棒４０を介して子サンゴｓを移植することによって、図３（ｂ）に示すように、サンゴ養殖棚８上で子サンゴｓから親サンゴＳへ生育させ、サンゴ礁を創生させるものである。
【００１７】
以下、以上のようにして形成されたサンゴ養殖棚を備えた浮桟橋の実例について、添付図面を用いて具体的に説明する。
【実施例１】
【００１８】
まず、図４、図５に示した実施例１による浮桟橋について説明する。
図４、図５に示すように、浮桟橋１１は、係留装置７を介して岸壁に立設した係留杭９に係留されている。
図６、７は係留装置７の構造を示しており、これについて説明する。係留杭９側の浮桟橋１１側面には、緩衝手段取付部材１６、１７が取り付けられおり、それら緩衝手段取付部材１６、１７には、係留杭９に当接される緩衝手段としてのダンパ手段１０が設けられている。
【００１９】
ダンパ手段１０は、その１つである図６のＡ部分を図７に示してあるように、緩衝材としてのゴム材２０と係留杭９に当接されて浮桟橋１１が変位するのをガイドするローラ１９を有している。このダンパ手段１０の設置によって、浮桟橋１１が船舶の接舷や波浪によって変位して係留杭９と当たっても、浮桟橋１１には衝撃が伝わるのが防止される。
図４，５に戻って、本実施例１では、この浮桟橋１１のデッキ１１ａ面の一部に階段１２を取付け、その最下段に設けた下部床面１１ｂに、海中へ貫通する中空孔１１ｃを形成して、その周壁をコンクリート壁１１ｄに構成している。
【００２０】
このコンクリート壁１１ｄに所定間隔で複数の移植孔４３ｆを開口したサンゴ養殖棚１８を設け、また、中空孔１１ｃの上方の下部床面１１ｂ側には、海中展望用水中窓（強化ガラスを使用）１３を取り付けたものである。
そして別途支持棒４０を介して生育された子サンゴｓ（図２参照）を、移植孔４３ｆへ移植して養殖する。
【００２１】
以上の構成を有する実施例１の装置の作用について以下説明すると、コンクリート壁１１ｄのサンゴ養殖棚１８へ移植された子サンゴｓは、緩衝手段としてのダンパ手段１０の設置により、その生育の妨げとなる衝撃が生ずるのを防止された環境のもとでやがて親サンゴＳへ生長してサンゴ礁を形成し、その周りには海草類が繁茂し、多くの魚群や貝類が生息するようになる。従って、この浮桟橋の利用者は、階段１２を降り、海中展望用水中窓１３を通じてサンゴ養殖棚１８のサンゴ礁周りの景観を観賞して楽しむことができる。
【００２２】
上記のように、本実施例１のサンゴ養殖棚を備えた浮桟橋１１では、デッキ面に階段１２を取付け、その最下段に設けた下部床面１１ｂに、海中へ貫通する中空孔１１ｃを形成してその周壁をコンクリートで構成し、同コンクリート壁１１ｄにサンゴ養殖棚１８を設け、また中空孔１１ｃの上方に海中展望用水中窓１３を取付けたので、サンゴ養殖棚１８に移植された子サンゴｓが親サンゴＳへ成長してサンゴ礁を形成するようになり、浮桟橋利用者は水中窓１３を通じてサンゴ養殖棚周りの海中の景観を観賞して楽しむことができるようになり、これによって利用者が増加して港湾の活性化につながる上、サンゴ礁の出現に伴って海洋環境が浄化されるなどの効果がある。
【実施例２】
【００２３】
次に、図８〜図９に示す実施例２について説明する。図８〜図９に示すように、浮桟橋２１は、係留装置７（図４、６、７参照）を介して岸壁に立設した係留杭９に係留されている。本実施例２では、デッキ２１ａ面に係留装置用架台７ａ側に向かって緩く傾斜面２２を形成して、その先端の側壁をコンクリート壁２１ｂで構成している。
【００２４】
このコンクリート壁２１ｂに、所定間隔に複数の移植孔４３ｆを開口したサンゴ養殖棚２８を設け、また傾斜面２２の先端と上記係留装置用架台７ａとの間に、海中展望用水中窓２３を取付けてある。
そして支持棒４０を介して別途生育された子サンゴｓ（図２参照）を、移植孔４３ｆへ移植して養殖する。
【００２５】
以上の構成を有する実施例２の装置の作用について説明すると、コンクリート壁２１ｂに移植された子サンゴｓは、ダンパ手段１０の設置により、その生育の妨げとなる衝撃が伝わるのを防止された環境のもとで、やがて親サンゴＳへ成長してサンゴ礁を形成し、その周りには海草類が繁茂し、多くの魚群や貝類が生息するようになる。そこでこの浮桟橋の利用者は、傾斜面２２を降りて水中窓２３を通じて、サンゴ養殖棚２８のサンゴ礁周りの景観を観賞して楽しむことができる。
【００２６】
上記のように、本実施例２のサンゴ養殖棚２８を備えた浮桟橋２１では、デッキ２１ａ面に係留装置７側に向かって緩く傾斜面２２を形成して、その先端の側壁をコンクリート壁２１ｂとして構成し、このコンクリート壁２１ｂにサンゴ養殖棚２８を設け、また傾斜面２２と係留装置用架台７ａとの間に、海中展望用水中窓２３を取付けたので、サンゴ養殖棚２８に移植された子サンゴｓが、親サンゴＳへ成長してサンゴ礁を形成するようになり、利用者は、傾斜面２２を降りて海中展望用水中窓２３を通じて、サンゴ養殖棚２８のサンゴ礁周りの景観を観賞して楽しむことができるようになる。
その他の作用および効果は実施例１と同様であり、重複する説明を省略する。
【実施例３】
【００２７】
次に、図１０〜図１１に示す本発明の実施例３について説明する。図１０〜図１１に示すように、浮桟橋３１は、係留装置７（図４、６、７参照）を介して岸壁に立設した係留杭９に係留されているが、本実施例３では、デッキ３１ａ面に海中まで貫通する中空孔３１ｂを形成して、その周壁をコンクリート周壁３１ｃとして構成する。
【００２８】
そのコンクリート周壁３１ｃに、所定間隔に複数の移植孔４３ｆを開口したサンゴ養殖棚３８を設け、また中空孔３１ｂの上方に海中展望用水中窓３３を取付けたものてある。
そして支持棒４０を介して別途生育された子サンゴｓ（図２参照）を、移植孔４３ｆへ移植して養殖する。
【００２９】
以上の構成を有する実施例３の装置の作用について説明すると、コンクリート周壁３１ｃに移植された子サンゴｓは、ダンパ手段１０の設置により、その生育の妨げとなる衝撃が伝わるのを防止された環境のもとでやがて親サンゴＳへ成長してサンゴ礁を形成し、その周りには海草類が繁茂し、多くの魚群や貝類が生息するようになる。そこで浮桟橋利用者は、デッキ３１ａ上の水中窓３３を通じて、サンゴ養殖棚３８のサンゴ礁周りの景観を観賞して楽しむことができるようになる。
【００３０】
上記のように、本実施例３のサンゴ養殖棚３８を備えた浮桟橋３１では、デッキ３１ａに海中まで貫通する中空孔３１ｂを形成してその周壁をコンクリート周壁３１ｃとして構成し、同コンクリート周壁３１ｃにサンゴ養殖棚３８を設け、また中空孔３１ｂの上方に海中展望用水中窓３３を取付けたので、サンゴ養殖棚３８に移植された子サンゴｓが親サンゴＳへ成長してサンゴ礁を形成するようになり、利用者は、デッキ上の水中窓３３を通じて、サンゴ養殖棚３８のサンゴ礁周りの景観を観賞して楽しむことができる。
その他の作用および効果は、実施例１と同様であり、重複する説明を省略する。
【実施例４】
【００３１】
次に、図１２に示す本発明の実施例４について説明する。この実施例４は、図４に示した実施例１による浮桟橋１１を変形したもので、浮桟橋１１における係留杭９側のコンクリート製の側面に、前記したと同様のやり方でサンゴ養殖棚（図示を省略）を形成させ、そのサンゴ養殖棚のために緩衝手段を設置したものである。
【００３２】
その緩衝手段は金網や多孔板で構成された防護板２６を有し、その防護板２６は係留装置７を構成している緩衝手段取付部材１６に上下方向にスライド可能に取付けられている。防護板２６は、風波や波浪の状況などに応じて水面からの上下方向位置が調節されて浮桟橋１１の係留杭９側の側面に形成されたサンゴ養殖棚に波浪や漂流物が当たって、そのサンゴ養殖棚に生育しているサンゴに対して衝撃が与えられるのを防止する作用を行う。
【００３３】
図１２に示した緩衝手段としての防護板２６は、上下方向にスライド可能に取付けられているが、図１３に示す防護板２７のように、緩衝手段取付部材１６に対して水平軸まわりに回動可能に取付け、（ａ）図のように水平にされた通常状態から、風波や波浪の状態に応じて（ｂ）図のように水平軸まわりに回動させてサンゴ養殖棚に生育しているサンゴに対して衝撃が与えられるのを防止する作用を行うようにしてもよい。
その他の構成、作用および効果は、実施例１と同様であり、重複する説明を省略する。
【実施例５】
【００３４】
次に、図１４に示す本発明の実施例５について説明する。この実施例５は、図１０、１１に示した実施例３による浮桟橋３１に変形を加えたもので、浮桟橋３１に設けられた中空孔３１ｂの底部を閉じることができるように障害物侵入防止手段としての保護板３５を設置したものである。
保護板３５は、金網や多孔板で形成されて浮桟橋３１の底部に水平方向にスライド可能に設けられており、波浪や漂流物などの状況に応じて中空孔３１ｂ底部の閉鎖状態を変えてサンゴ養殖棚３８に生育しているサンゴｓに対して障害物が侵入して悪影響を与えるのを防止する作用を行う。
【００３５】
図１４に示した障害物侵入防止手段としての保護板３５は、水平方向にスライド可能に取付けられているが、図１５に示す保護柵３６のように、中空孔３１ｂの底部の周りに円筒状に形成されて上下が開放された状態で設置した構造簡単なものとして、サンゴ養殖棚３８に生育しているサンゴに対して障害物が侵入して悪影響を与え与えるのを防止する作用を行うようにしてもよい。
その他の構成、作用および効果は、実施例５と同様であり、重複する説明を省略する。
【実施例６】
【００３６】
次に、図１６に示す本発明の実施例６について説明する。この実施例６は、図４、５に示した実施例１による浮桟橋１１において、サンゴ養殖棚１８の設置場所に対する日光照射が不足しているため光照射制御手段を設置した構成としたものである。
図１６（ａ）において、中空孔１１ｃのコンクリート壁１１ｄの一方に設置されたサンゴ養殖棚１８に対して、日光照射のため浮桟橋１１上に光ファイバー装置６０を設置している。
【００３７】
光ファイバー装置６０は、デッキ１１ａ上に取付けた採光部６２、コンクリート壁１１ｄのサンゴ養殖棚１８と対向する位置に取付けられた発光部６２およびこの両者を接続する光ファイバー束６１より成り、採光部６２で採光された光を発光部６３よりサンゴ養殖棚１８へ向けて照射するようになっている。
【００３８】
この実施例６では、浮桟橋１１上に光ファイバー装置６０を備えているので、デッキ１１ａに開口した中空孔１１ｃの周りのコンクリート壁１１ｄに設けたサンゴ養殖棚１８に対して、採光部６２で太陽光を採り込み、その光を、光ファイバー束６１を通じて発光部６３よりサンゴ養殖棚１８へ向かって照射できようになり、サンゴの生育環境が改善され、サンゴ養殖棚１８に移植された子サンゴｓの生育が一段と向上するようになる。
また、浮桟橋利用者は、海中展望用水中窓１３を通じてサンゴ養殖棚１８のサンゴの生育状況や周辺の海洋植物、魚群の遊泳等を観賞できるなどの効果がある。
【００３９】
以上説明した１６図（ａ）の実施例６では、採光部６２で太陽光を採り込み、その光を、光ファイバー束６１を通じて導くように構成しているが、１６図（ｂ）に示すように、太陽光を採り込む採光部６２に替えて、デッキ１１ａ上にソーラー発電装置６４を設置し、そのソーラー発電装置６４の発電力を使ってサンゴ養殖棚１８へ向かって光を照射するようにしてもよい。
１６図（ｂ）に示す装置では、デッキ１１ａの屋根１４上に設置されたソーラーパネル６５、コンクリート壁１１ｄのサンゴ養殖棚１８と対向する位置に取付けられた複数の電球６６および送電線６７より成り、発電された電力を電球６６へ送り、サンゴ養殖棚１８へ向かって光を照射するようになっている。
【００４０】
このように構成することによって、浮桟橋１１上にソーラー発電装置６４を備えているので、デッキ１１ａに開口した中空孔１１ｃのコンクリート壁１１ｄに設けたサンゴ養殖棚１８に対して、ソーラーパネル６５で発電された電力を、送電線６７を通じて電球６６へ送っていつでも発光させることができ、電球６６のオン−オフが可能である。
従って、サンゴ養殖棚１８へ向かって、サンゴの育成に最適なサイクルで光を照射できようになり、サンゴの生育環境が改善され、サンゴ養殖棚１８に移植された子サンゴｓの生育が一段と向上するという効果がある。
その他の作用・効果は、実施例１と同様であリ、重複する説明は省略する。
【実施例７】
【００４１】
次に、図１７に示す実施例７について説明する。この実施例７では、浮桟橋７１の日当たりのよい南向きの側壁７１ｂに支持枠７４を突設し、コンクリート製のサンゴ養殖棚７８をこの支持枠７４を介して上向きに傾斜させて設置し、自然光（太陽）を充分に照射させるようにしたものである。
なお、サンゴ養殖棚７８の上方には、デッキ７１ａから歩廊７３を架けて手すり７２を取付け、人が散策できるようになっている。
【００４２】
本実施例７では、サンゴ養殖棚７８を、日当たりのよい南向きのデッキの側壁７１ｂに、支持枠７４を介して上向きに傾斜させて設置したので、年中、自然光が長時間照射するようになり、サンゴの生育環境が改善され、サンゴ養殖棚７８に移植された子サンゴｓの生育が一段と向上するという効果がある。
【実施例８】
【００４３】
図１８は実施例８に係るサンゴ養殖棚を示す斜視図で、図１８（ａ）に示すように、浮桟橋８１のデッキ８１ａの側壁にコンクリート製のサンゴ養殖棚８８を設置すると共に、浮桟橋８１のデッキ８１ａから海上へ向かって取付枠８４を突設し、この取付枠８４に、サンゴ養殖棚８８と対向するように、浮桟橋８１に設置した光ファイバー装置８２の発光部８３を取付け、採光された光を発光部８３よりサンゴ養殖棚８８へ向かって照射するようになっている。
【００４４】
なお、図１８（ａ）では、サンゴ養殖棚８８を少し上向きに傾斜をつけているが、垂直でもよい。また、サンゴ養殖棚８８を設置するデッキ側壁の方向は南向きに限ることはなく、他の向きでもよい。
【００４５】
図１８（ａ）の実施例では、デッキ８１ａの側壁にサンゴ養殖棚８８を設置すると共に、光ファイバー装置８２の発光部８３を、サンゴ養殖棚８８と対向するように取付けたので、サンゴ養殖棚８８が設置されるデッキ側壁の向きおよび傾斜角に関わりなく、採光された光が発光部８３より、サンゴ養殖棚８８へ向かって照射されるようになり、サンゴの生育環境が改善され、サンゴ養殖棚８８に移植された子サンゴｓの生育が一段と向上するという効果がある。
【００４６】
図１８の（ｂ）は、実施例８の変形に係るサンゴ養殖棚を示しており、図示するように、この変形では、浮桟橋８１のデッキ側壁に設けられたコンクリート製のサンゴ養殖棚８８の上方に、デッキ８１ａから海上へ向かって取付枠８６を突設し、この取付枠８６に、サンゴ養殖棚８８と対向するように、浮桟橋８１の屋根に設置したソーラー発電装置（図示していない）と接続する複数の電球８９を設置し、ソーラーパネルで発電された電力を電球８９へ送り、サンゴ養殖棚８８へ向かって光を照射するようになっている。
なお、サンゴ養殖棚８８の取付け角度および設置されるデッキ側壁の向きは、特に限定されない。
【００４７】
図１８の（ｂ）の本実施例では、デッキ側壁にサンゴ養殖棚８８を設置すると共に、サンゴ養殖棚８８と対向するように、ソーラー発電装置と接続する複数の電球８９を取付けたので、サンゴ養殖棚８８が設置されるデッキ側壁の向きおよび傾斜角に関わりなく、発電された電力を電球８９へ送り、いつでも電球８９を発光させることができ、電球８９ののオン−オフが可能である。従って、サンゴの育成に最適なサイクルで、サンゴ養殖棚８８へ向かって光を照射することができるようになり、サンゴの生育環境が改善され、サンゴ養殖棚８８に移植された子サンゴｓの生育が一段と向上するという効果がある。
【００４８】
以上、本発明による浮桟橋を図示した実施の形態に基づいて具体的に説明したが、本発明はこの実施例に限定されるものではなく、特許請求の範囲に示した本発明の範囲内において種々の変更、変形を加えてよいことはいうまでもない。
【００４９】
例えば、前記した実施例においては、浮桟橋に対して本発明を適用した例を説明したが、本発明は浮桟橋以外の浮体構造物に対して適用してよい。
【００５０】
また、前記した実施例においては、コンクリートで構成された周壁に複数のサンゴ移植孔４３ｆを所定間隔に開口させ、支持棒４０に取付けられた子サンゴをそのサンゴ移植孔４３ｆに取り付けて構成したサンゴ養殖棚によってサンゴ養殖部を構成しているが、本発明による浮体構造物ではこれ以外適宜の手段で構成したサンゴ養殖部を採用することができる。
【００５１】
また、前記した実施例においては緩衝手段として、ローラ１９とゴム材２０で構成したダンパ手段１０を採用しているが、本発明による浮体構造物で用いる緩衝手段としてはこれに限らず、浮体構造物に対する衝撃を緩和するものであれば、種々のものを採用してよい。
【００５２】
更にまた、前記した実施例においては、緩衝手段、障害物侵入防止手段、光照射制御手段などいくつか組合せて採用したものを示したが、例示した組合せ以外、適宜のものを２つ以上組み合わせて採用してよい。また、浮体構造物のデッキを貫通して設ける中空孔も、図示した構造のものに限らず、種々の形状、構成の孔であってよく、また、その設置場所も例示した実施例に限らない。
【００５３】
また、前記した図１６（ａ）及び図１８（ａ）に示した実施例においては、太陽光が照射する間常時サンゴへ光が照射されるが、光ファイバの伝送路を開閉する手段（例えば、図１６（ａ）における採光部６２を開閉する蓋部材など）を設けることによって、適宜サンゴへの光の照射サイクルを調整することも勿論可能である。
【００５４】
さらに、上述した浮体構造物を利用したサンゴを養殖する方法を以下に説明する。
サンゴの親株から骨格を含み切断し、その切断面に定置手段として支持体を固着した子株を上述した浮体構造物に設けられたサンゴ養殖部に移設する。この移設方法については、例えば、図２０に示した従来の手順と同様である。そして、深層部よりの海水をサンゴ養殖部へ供給する。深層部より海水を汲み上げる手段（図示せず）は、従来から知られるポンプ手段を使用することができる。なお、深層部より汲み上げられた海水は、表層部の海水よりも温度が低いので、サンゴ養殖棚の上側付近（例えば図５においては水中窓１３へより近い部分）へ供給するようにするのが好ましい。また、汲み上げた海水をサンゴ養殖棚付近の領域で拡散させ、新鮮な深層水が万遍なく全てのサンゴへ行き渡るようにすることが好ましい。なお、サンゴは高温ストレスによる褐虫藻の損傷を引き起こすが、このような現象が起きる温度はサンゴの種類によって様々であるので、サンゴの種類によって最適な温度になるようサンゴ養殖棚付近の海水温度を適宜調整し、これを保持することが好ましい。
【図面の簡単な説明】
【００５５】
【図１】本発明の適用例としての浮桟橋における浮体構造を例示する断面図。
【図２】本発明の浮体構造物に設けられるサンゴ養殖部を形成するための養殖サンゴの移植手順例を（ａ）、（ｂ）、（ｃ）の順に示した説明図。
【図３】本発明に係る浮体構造物に設けたサンゴ養殖部におけるサンゴ礁の創生状況を（ａ）、（ｂ）の順に示した説明図。
【図４】本発明の実施例１に係る浮桟橋におけるサンゴ養殖棚の設置状態を部分的に示した斜視図。
【図５】実施例１に係る浮桟橋におけるサンゴ養殖棚の設置状態を詳細に示した断面図。
【図６】本発明の実施例１に係る浮桟橋における係留装置の構造を示す平面図。
【図７】図６のＡ部に取付けられたダンパ手段の構成を示した斜視図。
【図８】本発明の実施例２に係る浮桟橋におけるサンゴ養殖棚の設置位置を部分的に示す斜視図。
【図９】実施例２に係る浮桟橋におけるサンゴ養殖棚の設置状態を詳細に示した断面図。
【図１０】本発明の実施例３に係る浮桟橋におけるサンゴ養殖棚の設置位置を部分的に示した斜視図。
【図１１】実施例３に係る浮桟橋におけるサンゴ養殖棚の設置状態を詳細に示した断面図。
【図１２】本発明の実施例４に係る浮桟橋におけるサンゴ養殖棚と防護板の設置状態を示した斜視図。
【図１３】本発明の実施例４に係る浮桟橋における防護板の他の例を部分的に示した斜視図で、（ａ）、（ｂ）はそれぞれ、水平状態、傾斜状態での防護板を示している。
【図１４】本発明の実施例５に係る浮桟橋における防護板の設置状態を部分的に示す断面図。
【図１５】本発明の実施例５に係る浮桟橋における防護板の他の例の設置状態を部分的に示す断面図。
【図１６】本発明の実施例６に係る浮桟橋を部分的に示した断面図で、（ａ）は光ファイバー装置を用いたもの、（ｂ）はソーラー発電装置を用いたものを示している。
【図１７】本発明の実施例７に係る浮桟橋を部分的に示した図面で、（ａ）は斜視図、（ｂ）は側面図。
【図１８】本発明の実施例８に係る浮桟橋を部分的に示した側面図で、（ａ）は光ファイバー装置を用いたもの、（ｂ）はソーラー発電装置を用いたものを示している。
【図１９】港湾の岸壁に係留された従来の浮桟橋の一例を示した斜視図。
【図２０】従来のサンゴ養殖方法における手順例を（ａ）、（ｂ）、（ｃ）、（ｄ）の順に示した説明図。
【図２１】従来のサンゴ養殖方法の他の例を示す説明図。
【符号の説明】
【００５６】
１      浮桟橋
１ａ    鋼殻本体
１ｂ    鋼板
１ｃ    コンクリート層
１ｄ    鉄筋
１ｅ    ジベル
１ｆ    鋼板リブ
２      連絡橋
３      屋根
４      デッキ
５      船舶
７      係留装置
７ａ    係留装置用架台
８      サンゴ養殖棚
９      係留杭
１０    ダンパ手段
１１    浮桟橋
１１ａ  デッキ
１１ｂ  下部床面
１１ｃ  中空孔
１１ｄ  コンクリート壁
１２    階段
１３    海中展望用水中窓
１４    屋根
１５    手すり
１６    緩衝手段取付部材
１７    緩衝手段取付部材
１８    サンゴ養殖棚
１９    ローラ
２０    ゴム材
２１    浮桟橋
２１ａ  デッキ
２１ｂ  コンクリート壁
２２    傾斜面
２３    海中展望用水中窓
２４    歩道
２５    手すり
２６    防護板
２７    防護板
２８    サンゴ養殖棚
３１    浮桟橋
３１ａ  デッキ
３１ｂ  中空孔
３１ｃ  コンクリート周壁
３３    海中展望用水中窓
３４    手すり
３５    保護板
３６    保護柵
３８    サンゴ養殖棚
４０    支持棒
４１    ケーシング
４２    保持材
４３    被移植体
４３ｆ  移植孔
５１    柱状浮体
５２    枠
５３    サンゴ養生棚
５５    サンゴ養殖装置
６０    光ファイバー装置
６１    光ファイバー束
６２    採光部
６３    発光部
６４    ソーラー発電装置
６５    ソーラーパネル
６６    電球
６７    送電線
７１    浮桟橋
７１ａ  デッキ
７１ｂ  側壁
７２    手すり
７３    歩廊
７４    支持枠
７８    サンゴ養生棚
８１    浮桟橋
８１ａ  デッキ
８２    光ファイバー装置
８３    発光部
８４    取付枠
８６    取付枠
８８    サンゴ養殖棚
８９    電球
ｇ      岸壁
Ｓ      親サンゴ
ｓ      子サンゴ
【図１】
2005245374.tif 000003
【図２】
2005245374.tif 000004
【図３】
2005245374.tif 000005
【図４】
2005245374.tif 000006
【図５】
2005245374.tif 000007
【図６】
2005245374.tif 000008
【図７】
2005245374.tif 000009
【図８】
2005245374.tif 000010
【図９】
2005245374.tif 000011
【図１０】
2005245374.tif 000012
【図１１】
2005245374.tif 000013
【図１２】
2005245374.tif 000014
【図１３】
2005245374.tif 000015
【図１４】
2005245374.tif 000016
【図１５】
2005245374.tif 000017
【図１６】
2005245374.tif 000018
【図１７】
2005245374.tif 000019
【図１８】
2005245374.tif 000020
【図１９】
2005245374.tif 000021
【図２０】
2005245374.tif 000022
【図２１】
2005245374.tif 000023